(57)【要約】      （修正有）【課題】高速回線を持たない鉄道車両においても設置可能で、広告等の画像を表示することができる、画像表示装置を提供する。【解決手段】画像表示装置１は、画像表示制御部１４が鉄道車両の運行情報を取得し、そして、取得した運行情報に基づいてＬＣＤ画面１３に表示させる広告動画情報をＳＤカード１５から読み出す。【選択図】図２
2015207849.tif 000002
【特許請求の範囲】
【請求項１】
鉄道車両に設置され、画像情報を画像として表示する画像表示部を備えている画像表示装置において、
前記画像情報が格納されている可搬型記憶媒体から前記画像情報を読み出す読出部と、
前記鉄道車両の運行に関する情報である運行情報を取得する取得部と、
前記取得部が取得した前記運行情報に基づいて前記画像表示部に表示させる画像とする前記画像情報を前記読出部に読み出させる表示制御部と、
を備えていることを特徴とする画像表示装置。
【請求項２】
前記取得部は、前記運行情報として当該鉄道車両の現在位置する地点及び当該鉄道車両の行先を取得することを特徴とする請求項１に記載の画像表示装置。
【請求項３】
前記可搬型記憶媒体には、複数の前記画像情報が記憶されるとともに、当該複数の前記画像情報を前記画像表示部に画像として表示させる順序が設定されたシナリオ情報が記憶され、
前記読出部は、前記シナリオ情報を読み出し、
前記表示制御部は、読み出された前記シナリオ情報と前記運行情報とに基づいて前記画像情報を選択し、選択した前記画像情報を前記読出部に読み出させて前記画像表示部に表示させる、
ことを特徴とする請求項１または２に記載の画像表示装置。
【請求項４】
前記シナリオ情報には、前記画像表示部に表示させる前記画像情報名と、該画像情報を表示させる地点と、該画像情報を繰り返し表示させる回数と、が含まれていることを特徴とする請求項３に記載の画像表示装置。
【請求項５】
前記取得部は、前記運行情報として自身の設置位置に関する情報を取得し、
前記シナリオ情報には、前記画像情報を表示させる前記画像表示装置の位置情報が含まれている、
ことを特徴とする請求項３または４に記載の画像表示装置。
【請求項６】
前記取得部は、現在の時刻を取得し、
前記可搬型記憶媒体には、前記シナリオ情報を実行する時間に関する情報が設定されたスケジュール情報が記憶され、
前記読出部は、前記シナリオ情報と前記スケジュール情報とを読み出し、
前記表示制御部は、読み出された前記スケジュール情報と前記現在の時刻とに基づいて前記シナリオ情報を選択し、選択された前記シナリオ情報と前記運行情報とに基づいて前記画像情報を選択し、選択した前記画像情報を前記読出部に読み出させて前記画像表示部に表示させる、
ことを特徴とする請求項３乃至５のうちいずれか一項に記載の画像表示装置。
【請求項７】
前記スケジュール情報には、前記シナリオ情報の実行開始時間及び実行終了時間が含まれていることを特徴とする請求項６に記載の画像表示装置。
【請求項８】
前記スケジュール情報と前記シナリオ情報とは、それぞれ個別のファイルとして前記可搬型記憶媒体に記憶されていることを特徴とする請求項６または７に記載の画像表示装置。
【請求項９】
前記取得部は、運行情報として当該鉄道車両の種別を取得し、
前記可搬型記憶媒体には、前記種別に応じて前記表示制御部の動作を設定する動作設定情報が記憶され、
前記読出部は、前記シナリオ情報と前記スケジュール情報と前記動作設定情報とを読み出し、
前記表示制御部は、読み出された前記動作設定情報と前記運行情報とに基づいて、前記スケジュール情報及び前記シナリオ情報による動作を行うか否かを決定する、
ことを特徴とする請求項６乃至８のうちいずれか一項に記載の画像表示装置。
【請求項１０】
前記動作設定情報には、前記行先ごとに、前記スケジュール情報及び前記シナリオ情報による動作を行うか否かを示す情報が含まれていることを特徴とする請求項９に記載の画像表示装置。
【請求項１１】
前記動作設定情報は、個別のファイルとして前記可搬型記憶媒体に記憶されていることを特徴とする請求項９または１０に記載の画像表示装置。
【発明の詳細な説明】
【技術分野】
【０００１】
本発明は、鉄道車両に設置される画像表示装置に関する。
【背景技術】
【０００２】
近年、鉄道車両内に動画像等を表示可能な画像表示装置を設置して、乗車している乗客に向けて運行情報や広告等の情報を表示させることが行われている。鉄道事業者は車両内へ広告を流すことで広告料を徴収して新た収入源とすることができる（例えば特許文献１を参照）。
【０００３】
このような鉄道車両内に広告等の情報を表示する際には、特許文献２や３に記載されているように複数の鉄道車両が連結された車両編成の例えば先頭車両にサーバを設置して、そこから各車両内の画像表示装置へ配信することが知られている。
【先行技術文献】
【特許文献】
【０００４】
【特許文献１】特開２００６−１３４１２０号公報
【特許文献２】特開２０１０−１６５７５号公報
【特許文献３】特開２００９−１４２３９号公報
【発明の概要】
【発明が解決しようとする課題】
【０００５】
しかしながら、特許文献２や３に記載した画像情報配信のシステムは、サーバに蓄えられた画像情報を車両間の動画像の伝送に好適な高速ネットワークで車両編成を構成する各車両へ配信する。したがって、前記した高速ネットワークが敷設される新設の鉄道車両には適用可能であるが、そのような高速ネットワークを持たない既存の鉄道車両においては適用できない。
【０００６】
また、車両編成にネットワークが敷設されている車両であっても、車両間の制御情報や運行情報等の既にネットワーク上を伝送されている情報との関係から画像情報（特に動画情報）を伝送できる程度の帯域を確保できない場合もある。例えば、前記した車両間の制御情報や運行情報等と画像情報を混在させた場合、画像情報の伝送に帯域を取られてしまい制御情報や運行情報等の遅延や欠落等の伝送エラーが頻発すると、車両の運行自体に影響を及ぼしてしまう可能性がある。
【０００７】
そこで、既存の鉄道車両に画像情報を伝送するための高速ネットワークを敷設すると、車両改造のために多額の費用がかかってしまい鉄道事業者の負担が大きくなってしまう。
【０００８】
また、鉄道車両は移動するため、同じ広告等の画像情報を繰り返し表示するよりも、例えば駅等の車両が走行する地点に合った広告等が表示されるように変更できた方が好ましい。
【０００９】
本発明はかかる問題を解決することを目的としている。
【００１０】
すなわち、本発明は、高速回線を持たない鉄道車両においても設置可能で状況に合わせて広告等の画像を表示することができる画像表示装置を提供することを目的とする。
【課題を解決するための手段】
【００１１】
上記課題を解決するためになされた請求項１に記載された発明は、鉄道車両に設置され、画像情報を画像として表示する画像表示部を備えている画像表示装置において、前記画像情報が格納されている可搬型記憶媒体から前記画像情報を読み出す読出部と、前記鉄道車両の運行に関する情報である運行情報を取得する取得部と、前記取得部が取得した前記運行情報に基づいて前記画像表示部に表示させる画像とする前記画像情報を前記読出部に読み出させる表示制御部と、を備えていることを特徴とする画像表示装置である。
【００１２】
画像表示装置は、取得部が鉄道車両の運行に関する情報である運行情報を取得し、表示制御部が、取得部が取得した運行情報に基づいて画像表示部に表示させる画像情報を読出部に読み出させる。このようにして、運行情報に応じた画像情報が可搬型記憶媒体から読み出され、画像表示部に表示される。
【００１３】
請求項２に記載された発明は、請求項１に記載された発明において、取得部は、前記運行情報として当該鉄道車両の現在位置する地点及び当該鉄道車両の行先を取得することを特徴とするものである。
【００１４】
運行情報として、鉄道車両の現在位置する地点及び行先を取得することで、表示制御部が、現在位置する地点や行先に応じた画像情報が可搬型記憶媒体から読み出され、画像表示部に表示される。
【００１５】
請求項３に記載された発明は、請求項１または２に記載された発明において、前記可搬型記憶媒体には、複数の前記画像情報が記憶されるとともに、当該複数の前記画像情報を前記画像表示部に画像として表示させる順序が設定されたシナリオ情報が記憶され、前記読出部は、前記シナリオ情報を読み出し、前記表示制御部は、読み出された前記シナリオ情報と前記運行情報とに基づいて前記画像情報を選択し、選択した前記画像情報を前記読出部に読み出させて前記画像表示部に表示させる、ことを特徴とするものである。
【００１６】
可搬型記憶媒体には、画像情報に加えてシナリオ情報も記憶されており、シナリオ情報が読み出されることで、シナリオ情報に設定された順序で複数の画像情報が画像表示部に表示される。
【００１７】
請求項４に記載された発明は、請求項３に記載された発明において、前記シナリオ情報には、前記画像表示部に表示させる前記画像情報名と、該画像情報を表示させる地点と、該画像情報を繰り返しの表示させる回数と、が含まれていることを特徴とするものである。
【００１８】
シナリオ情報によって、設定された地点で設定された繰り返し回数分指定の画像情報が表示される。
【００１９】
請求項５に記載された発明は、請求項３または４に記載された発明において、前記取得部は、前記運行情報として自身の設置位置に関する情報を取得し、前記シナリオ情報には、前記画像情報を表示させる前記画像表示装置の位置情報が含まれている、ことを特徴とするものである。
【００２０】
取得部が、自身が鉄道車両内のどの位置に設置されているかを取得し、その位置に応じた画像表示部に画像情報を表示させることができる。
【００２１】
請求項６に記載された発明は、請求項３乃至５のうちいずれか一項に記載された発明において、前記取得部は、現在の時刻を取得し、前記可搬型記憶媒体には、前記シナリオ情報を実行する時間に関するスケジュール情報が記憶され、前記読出部は、前記シナリオ情報と前記スケジュール情報とを読み出し、前記表示制御部は、読み出された前記スケジュール情報と前記現在の時刻とに基づいて前記シナリオ情報を選択し、選択された前記シナリオ情報と前記運行情報とに基づいて前記画像情報を選択し、選択した前記画像情報を前記読出部に読み出させて前記画像表示部に表示させる、ことを特徴とするものである。
【００２２】
可搬型記憶媒体には、画像情報及びシナリオ情報に加えてスケジュール情報も記憶されており、スケジュール情報が読み出させることで、スケジュール情報に設定された時間にシナリオ情報に基づく画像情報が画像表示部に表示される。
【００２３】
請求項７に記載された発明は、請求項６に記載された発明において、前記スケジュール情報には、前記シナリオ情報の実行開始時間及び実行終了時間が含まれていることを特徴とするものである。
【００２４】
シナリオ情報の実行開始時間と実行終了時間をスケジュール情報に定めることができる。
【００２５】
請求項８に記載された発明は、請求項６または７に記載された発明において、前記スケジュール情報と前記シナリオ情報とは、それぞれ個別のファイルとして前記可搬型記憶媒体に記憶されていることを特徴とするものである。
【００２６】
スケジュール情報とシナリオ情報とを個別のファイルとして作成することができ、個別に修正等を施すことができる。
【００２７】
請求項９に記載された発明は、請求項６乃至８のうちいずれか一項に記載された発明において、前記取得部は、運行情報として当該鉄道車両の種別を取得し、前記可搬型記憶媒体には、前記種別に応じて前記表示制御部の動作を設定する動作設定情報が記憶され、前記読出部は、前記シナリオ情報と前記スケジュール情報と前記動作設定情報とを読み出し、前記表示制御部は、読み出された前記動作設定情報と前記運行情報とに基づいて、前記スケジュール情報及び前記シナリオ情報による動作を行うか否かを決定する、ことを特徴とするものである。
【００２８】
可搬型記憶媒体には、画像情報及びシナリオ情報並びにスケジュール情報に加えて動作設定情報も記憶されており、動作設定情報が読み出させることで、例えば急行や普通などといった鉄道車両の種別に基づいて、シナリオ情報やスケジュール情報を使用した動作を行うか否かを設定することができる。
【００２９】
請求項１０に記載された発明は、請求項９に記載された発明において、前記動作設定情報には、前記行先ごとに、前記シナリオ情報及び前記スケジュール情報を実行するか否かを示す情報が含まれていることを特徴とするものである。
【００３０】
鉄道車両の行先ごとに、シナリオ情報やスケジュール情報を使用した動作を行うか否かを指定することができる。
【００３１】
請求項１１に記載された発明は、請求項１０に記載された発明において、前記動作設定情報は、個別のファイルとして前記可搬型記憶媒体に記憶されていることを特徴とするものである。
【００３２】
動作設定情報を、スケジュール情報とシナリオ情報とも別のファイルとして作成することができ、個別に修正等を施すことができる。
【発明の効果】
【００３３】
請求項１に記載の発明によれば、画像情報が可搬型記憶媒体に記憶されており、取得部が取得した運行情報に基づいて、読出部が読み出して画像表示部に表示させることができる。そのため、画像情報をネットワーク経由で取得する必要が無く、外部からは運行情報が取得できれば、運行情報に基づいて広告等の画像情報を画像表示部に表示させることができる。したがって、高速回線を持たない鉄道車両においても状況に合わせて広告等を表示する画像表示装置の設置が可能となる。
【００３４】
請求項２に記載の発明によれば、現在位置する地点や行先に適した広告等を画像表示部表示されることができる。したがって、効果的な広告をすることができる。
【００３５】
請求項３に記載の発明によれば、予め複数の画像情報を表示させる順序を設定することができる。また、シナリオ情報が可搬型記憶媒体に画像情報とともに記憶されているため、可搬型記憶媒体の内容を変更するのみで表示順を変更することができる。また、表示させる画像情報と同じ記憶媒体に記憶することでシナリオ情報の管理が容易となる。
【００３６】
請求項４に記載の発明によれば、画像情報ごとに適切な地点で所定回数分表示させるように設定できる。
【００３７】
請求項５に記載の発明によれば、複数の画像表示装置が設置されている場合に、車両内の設置位置に応じて表示するシナリオ情報や画像情報を変更することができる。
【００３８】
請求項６に記載の発明によれば、予めシナリオ情報を実行する時間を設定することができる。また、スケジュール情報が可搬型記憶媒体に画像情報やシナリオ情報とともに記憶されているため、可搬型記憶媒体の内容を変更するのみでシナリオ情報を実行する時間を変更することができる。また、表示させる画像情報やシナリオ情報と同じ記憶媒体に記憶することでスケジュール情報の管理が容易となる。
【００３９】
請求項７に記載の発明によれば、実行開始時間から実行終了時間までの間までシナリオ情報を実行することができる。
【００４０】
請求項８に記載の発明によれば、スケジュール情報とシナリオ情報とを別ファイルに分けることで、変更される情報の含まれるファイルのみを修正することができる。そのため、修正範囲が限定されるので修正が容易となり、間違い等が入りにくくなる。
【００４１】
請求項９に記載の発明によれば、例えば急行や普通といった種別に応じて予めシナリオ情報やスケジュール情報及び前記シナリオ情報による動作を行うか否かを設定することができる。また、動作設定情報が可搬型記憶媒体に画像情報、シナリオ情報及びスケジュール情報とともに記憶されているため、可搬型記憶媒体の内容を変更するのみで当該可搬型記憶媒体内のシナリオ情報やスケジュール情報の実行を変更することができる。また、表示させる画像情報、シナリオ情報及びスケジュール情報と同じ記憶媒体に記憶することで動作設定情報の管理が容易となる。
【００４２】
請求項１０に記載の発明によれば、行先に応じて及び前記シナリオ情報による動作を行うか否かを設定できる。
【００４３】
請求項１１に記載の発明によれば、動作設定情報を個別のファイルに分けることで、変更される情報の含まれるファイルのみを修正することができる。そのため、修正範囲が限定されるので修正が容易となり、間違い等が入りにくくなる。
【図面の簡単な説明】
【００４４】
【図１】本発明の一実施形態にかかる画像表示装置が設置される鉄道車両の概略構成図である。
【図２】図１に示された画像表示装置のブロック構成図である。
【図３】図１に示されたＳＤカード内のファイル構造の説明図である。
【図４】図３に示されたシナリオファイルの説明図である。
【図５】図３に示されたスケジュールファイルの説明図である。
【図６】図３に示された動作設定ファイルの説明図である。
【図７】図２に示された画像表示装置における広告動画情報の表示動作のフローチャートである。
【発明を実施するための最良の形態】
【００４５】
以下、本発明の一実施形態を、図１乃至図７を参照して説明する。図１は、本発明の一実施形態にかかる画像表示装置が設置される鉄道車両の概略構成図である。図２は、図１に示された画像表示装置のブロック構成図である。図３は、図１に示されたＳＤカード内のファイル構造の説明図である。図４は、図３に示されたシナリオファイルの説明図である。図５は、図３に示されたスケジュールファイルの説明図である。図６は、図３に示された動作設定ファイルの説明図である。図７は、図２に示された画像表示装置における広告動画情報の表示動作のフローチャートである。
【００４６】
図１は本実施形態の画像表示装置が設置される鉄道車両１０１の概略構成図である。図１では１両のみを表示しているが、勿論、複数車両が連結されていてもよい。鉄道車両１０１は、図１に示したように、右側側面にドア１０１Ｒ、１０２Ｒ、１０３Ｒ、１０４Ｒが設けられ、左側側面にドア１０１Ｌ、１０２Ｌ、１０３Ｌ、１０４Ｌが設けられている。これらのドアは、車掌等により開閉されることによって、駅などで乗客が客室内に出入りすることができる（乗降することができる）。
【００４７】
客室内のドア１０１Ｒ、１０２Ｌ、１０３Ｒ、１０４Ｌの上部には、運行情報表示装置１１１（１１１ａ、１１１ｂ、１１１ｃ、１１１ｄ）が設置されている。
【００４８】
運行情報表示装置１１１は、鉄道車両１０１の行先や停車駅等を表示する。運行情報表示装置１１１は、後述する表示設定器１１０からネットワーク１１３を介して運行情報を取得し、当該運行情報に含まれる行先や停車駅等を文字や画像等によって客室内に表示することで乗客に提示している。図１の場合、ドア１０１Ｒの上部に運行情報表示装置１１１ａが、ドア１０２Ｌの上部に運行情報表示装置１１１ｂが、ドア１０３Ｒの上部に運行情報表示装置１１１ｃが、ドア１０４Ｌの上部に運行情報表示装置１１１ｄがそれぞれ設置されている。
【００４９】
客室内のドア１０１Ｌ、１０２Ｒ、１０３Ｌ、１０４Ｒの上部には、運行情報表示装置１１２（１１２ａ、１１２ｂ、１１２ｃ、１１２ｄ）が設置されている。
【００５０】
運行情報表示装置１１２は、鉄道車両１０１の行先や停車駅等を表示する。運行情報表示装置１１２は、後述する表示設定器１１０からネットワーク１１３を介して運行情報を取得し、当該運行情報に含まれる行先や停車駅等を文字や画像等によって客室内に表示することで乗客に提示している。また、運行情報表示装置１１２は、後述する画像表示装置１に対してネットワーク１１３から取得した運行情報を出力する。図１の場合、ドア１０１Ｌの上部に運行情報表示装置１１２ａが、ドア１０２Ｒの上部に運行情報表示装置１１２ｂが、ドア１０３Ｌの上部に運行情報表示装置１１２ｃが、ドア１０４Ｒの上部に運行情報表示装置１１２ｄがそれぞれ設置されている。
【００５１】
なお、運行情報表示装置１１１と運行情報表示装置１１２とは同じ情報が表示されてもよいし、異なる情報が表示されてもよい。例えば、運行情報表示装置１１１には停車駅の情報を表示し、運行情報表示装置１１２には行先と急行や普通といった種別を表示するようにしてもよい。あるいは運行情報表示装置１１１ａ、１１１ｂ、１１１ｃ、１１１ｄ間で異なる情報が表示されてもよいし、運行情報表示装置１１２ａ、１１２ｂ、１１２ｃ、１１２ｄ間で異なる情報が表示されてもよい。
【００５２】
表示設定器１１０は、例えば先頭の車両に設置され、行先、停車駅、種別及び鉄道車両１０１（当該編成）が現在位置している地点等の鉄道車両１０１の運行に関する情報である運行情報やその他鉄道車両１０１の制御情報等をネットワーク１１３に出力する。
【００５３】
ネットワーク１１３は、表示設定器１１０から出力された運行情報等を、運行情報表示装置１１１と運行情報表示装置１１２とに伝送する。ネットワーク１１３は、運行情報等の鉄道車両１０１の制御にかかる情報が伝送される。
【００５４】
本発明の一実施形態にかかる画像表示装置１は、客室内のドア１０１Ｌ、１０２Ｒ、１０３Ｌ、１０４Ｒの上部に、運行情報表示装置１１２ａ、１１２ｂ、１１２ｃ、１１２ｄと並べて設置されている。
【００５５】
画像表示装置１は、図２に示したように、電源１１と、ＬＣＤ信号変換部１２と、ＬＣＤ画面１３と、画像表示制御部１４と、ＳＤカード１５と、を備えている。
【００５６】
電源１１は、外部（鉄道車両１０１）から１００Ｖの直流電圧が入力され、１２Ｖの直流電圧に変換後、ＬＣＤ信号変換部１２及び画像表示制御部１４等に出力して画像表示装置１内に電源電圧を供給する。
【００５７】
ＬＣＤ信号変換部１２は、画像表示制御部１４とＤＶＩ（Digital Visual Interface）により接続され、画像表示制御部１４がＳＤカード１５から読み出した画像情報が入力される。また、ＬＣＤ信号変換部１２は、ＬＣＤ画面１３とＬＶＤＳ（Low voltage differential signaling）により接続され、ＬＣＤ信号変換部１２に入力された画像情報をＬＶＤＳに規定された信号に変換してＬＣＤ画面１３に出力する。
【００５８】
ＬＣＤ画面１３は、液晶ディスプレイ（ＬＣＤ）により構成され、ＬＣＤ信号変換部１２から入力された信号に基づいて画像を表示する。即ち、画像情報を画像として表示する画像表示部として機能する。
【００５９】
画像表示制御部１４は、運行情報表示装置１１２と例えばＲＳ−４８５インタフェースにより接続されている。また、画像表示制御部１４は、ＳＤカード１５が着脱自在な図示しないスロットを有している。画像表示制御部１４は、前記したスロットに挿入されたＳＤカード１５に記憶されている後述するシナリオファイルやスケジュールファイル等を読み出す。そして、ＲＳ−４８５インタフェースから入力される運行情報とシナリオ情報及びスケジュール情報等に基づいてＬＣＤ画面１３に表示させる画像情報をＳＤカード１５から読み出して、符号化されている場合は復号化してＬＣＤ信号変換部１２に出力する。即ち、画像表示制御部１４が、読出部、取得部、表示制御部として機能する。
【００６０】
なお、本実施形態では、運行情報表示装置１１２を介して運行情報を取得しているが、直接ネットワーク１１３と接続されるような構成としてもよい。
【００６１】
ＳＤカード１５は、周知のように、カード状に形成され、不揮発性の半導体メモリを内蔵した読み書き自在の可搬型記憶媒体である。ＳＤカード１５には、動画情報や静止画情報などの画像情報やシナリオファイルやスケジュールファイル等が記憶されている。なお、本実施形態では可搬型記憶媒体としてＳＤカード１５で説明するが、ＳＤカードに限らず、他の方式のメモリカードでもよいし、ＵＳＢ（Universal Serial Bus）メモリやハードディスクあるいは光ディスク等の可搬型記憶媒体であってもよい。
【００６２】
図３にＳＤカード１５内のファイル構造例を示す。ＳＤカード１５（ＳＤ  Ｃａｒｄ）には、コンテンツ（ｃｏｎｔｅｎｔｓ）とファーム（ｆｉｒｍ）とログ（ｌｏｇ）とセッティング（ｓｅｔｔｉｎｇ）との各フォルダ（ディレクトリ）が形成されている。
【００６３】
コンテンツフォルダには、ＣＭとニュース（ＮＥＷＳ）とエマージェンシー（ＥＭＡＥＧＥＮＣＹ）との各フォルダが形成されている。
【００６４】
ＣＭフォルダには、ＬＣＤ画面１３に表示する広告の動画情報（広告動画情報）とシナリオ情報とスケジュール情報とが格納されており、バージョンごとにフォルダが形成されている。図３の例では、２０１３０３０１（バージョンα）と２０１３０４０１（バージョンβ）との２つのフォルダが形成されている。
【００６５】
バージョンごとに形成されるフォルダ、例えば２０１３０３０１フォルダには、ソース（Ｓｏｕｒｃｅ）フォルダが形成され、１．ｉｎｉ〜１０．ｉｎｉの１０個のシナリオファイルとｓｃｈｅｄｕｌｅ．ｉｎｉの１個のスケジュールファイルが格納されている。ソースフォルダには、複数の広告動画情報（ＡＡＡＡ．ｈ２６４〜ＤＤＤＤＤ．ｈ２６４）が格納されている。この広告動画情報は、例えばＨ．２６４規格により符号化されている。即ち、広告動画情報が画像情報となる。勿論画像情報は動画情報に限らず静止画情報であってもよい。
【００６６】
シナリオ情報としてのシナリオファイルは、ソースフォルダに格納されている各動画情報の表示順や表示する地点等が設定されているファイルである。スケジュール情報としてのスケジュールファイルは、複数のシナリオファイルを実行する時間帯が設定されているファイルである。
【００６７】
シナリオファイルの例を図４に示す。図４は、図３に示した１．ｉｎｉの例である。シナリオファイルには、対象の広告動画情報名（ファイル名）と、広告動画情報かニュース動画情報かの種類の識別（種類）と、ファイル名で示された広告動画情報の繰り返し表示回数（回数・時間）と、表示させる位置（表示位置）と、表示させる地点（表示地点）と、が記載されている。
【００６８】
図４の例の場合、種類は“１”が広告で“２”がニュースを示す。表示位置とは、図１に示した複数の画像表示装置１のうち、どの画像表示装置１に表示するかを指定する情報（画像情報を表示させる画像表示装置の位置情報）であり、各画像表示装置１は、予め表示設定器１１０が出力する運行情報に含めて送信された自身の設置位置情報に基づいて判断することができる。例えば、ドア１０１Ｌの上部に設けられている画像表示装置１の位置が“１１”の場合、表示位置に“１１”が含まれている場合は、ファイル名に指定された広告動画情報を表示する。
【００６９】
表示地点とは、ファイル名で指定された広告動画情報を表示する地点を指定する情報であり、図４では、地点コードにより指定している。地点コードとは、表示設定器１１０が運行情報に含めて出力する情報であり、例えば駅や駅と駅との間の区間など、特定の位置や特定の範囲の位置を示す情報をコード化したものである。画像表示装置１は、運行情報に含まれる地点コードと表示位置の設定とが一致した場合は、ファイル名に指定された広告動画情報を表示する。なお、地点コードではなく緯度と経度など広告動画情報を表示する地点を示す情報であれば他の方法でもよい。
【００７０】
シナリオファイルには、１つの広告動画情報について上記した５つの項目を設定し、それを表示する順序で記載する。図４の場合は、ＡＡＡＡＡ．ｈ２６４、ＢＢＢＢＢ．ｈ２６４、ＣＣＣＣＣ．ｈ２６４、ＤＤＤＤＤ．ｈ２６４の順序で表示される。最後のファイル（ＤＤＤＤＤ．ｈ２６４）まで表示された後は、また先頭のファイル（ＡＡＡＡＡ．ｈ２６４）から表示を行う。即ち、複数の動画ファイル（画像情報）をＬＣＤ画面１３（画像表示部）に画像として表示させる順序が設定されている。
【００７１】
なお、図４の表示位置や表示地点で“−”と表記されている場合は、全ての位置、全ての地点で表示することを示している。
【００７２】
次に、スケジュールファイルの例を図５に示す。スケジュールファイルには、対象のシナリオファイル名と、シナリオ情報を実行する時間に関する情報としての当該シナリオの開始時刻（開始時分）と、当該シナリオの終了時刻（終了時分）と、が記載されている。スケジュールファイルには、各シナリオファイルごとに開始時分と終了時分とが設定されている。即ち、スケジュールファイル（スケジュール情報）には、シナリオファイル（シナリオ情報）の実行開始時間及び実行終了時間が含まれている。
【００７３】
エマージェンシーフォルダには、緊急時にＬＣＤ画面１３に表示する静止画情報（動画情報でもよい）が格納されている。
【００７４】
ファームフォルダには、画像表示制御部１４で動作するファームウェアのアップデート用のデータ等が格納されている。
【００７５】
ログフォルダには、プレイ（ｐｌａｙ）フォルダとエラー（ｅｒｒ）フォルダとが形成されている。
【００７６】
プレイフォルダには、広告動画情報の再生回数のログファイルが格納されている。ログファイルには、例えば、再生した広告動画情報名とその再生日時とが再生日時順に記録されている。したがって、例えばこのログファイルを特定の広告動画情報名で検索することでとの広告動画情報の再生回数が判明する。即ち、ＳＤカード１５（可搬型記憶媒体）には、広告動画情報（画像情報）の再生履歴に関する情報が記憶されている。
【００７７】
エラーフォルダには、動作中に発生したエラーのログファイルが格納されている。ログファイルには、例えば、発生したエラーのＩＤとその発生日時とが発生日時順に記録されている。
【００７８】
セッティングフォルダには、画像表示装置１の各種設定を記載された設定ファイル（ｃｏｍｍｏｎ．ｉｎｉ）と種別と行先による動作が設定された動作設定ファイル（ｏｐｅｒａｔｉｏｎ．ｉｎｉ）とが格納されている。
【００７９】
設定ファイルは、複数の画像表示装置１を識別するためのＩＤや、表示する画像情報等の切り替えの基準とする時刻の設定（例えば午前０時ではなく午前３時にする）などの項目を設定することができる。
【００８０】
動作設定ファイルの例を図６に示す。動作設定ファイルには、種別ごとに行先と動作を記載する。なお、図６中“＃”以降はコメントを示している。例えば図６の「種別１（回送）」とコメントが記載されている行の［００］は種別を示すコード（種別コード）であり、コメントのとおり回送を示している。種別コードは鉄道車両１０１が走行する路線の種別に基づいて予め設定されたコードであり、表示設定器１１０から運行情報に含めて出力される。
【００８１】
次の行の「“００”＝“０”」は行先と動作を示している。この行の左辺（“００”）は行先コードであり、右辺（“０”）は動作コードである。行先コードは鉄道車両１０１が走行する路線の行先に基づいて予め設定されたコードであり、表示設定器１１０から運行情報に含めて出力される。動作コードは、画像表示装置１の動作を指定するコードであり、例えば“０”が無表示、“１”がシナリオファイルとスケジュールファイルとに基づく通常表示、“２”がデフォルト画像１の表示、“３”がデフォルト画像２の表示などと規定されている。デフォルト画像１、２は、図３では図示しないデフォルト画像用のフォルダに含まれている静止画情報である（動画情報でもよい）。この動作コードに基づいて画像表示制御部１４が動作する。即ち、種別に応じて画像表示制御部１４（表示制御部）の動作を設定している。
【００８２】
次に、上述した構成の画像表示装置１における広告動画情報の表示動作を図７を参照して説明する。図７のフローチャートは画像表示制御部１４で実行される。
【００８３】
まず、ステップＳ１において、ＲＳ−４８５インタフェース経由で表示設定器１１０から運行情報表示装置１１２を介して表示のＯＮまたは表示のＯＦＦを受信したかを判断し、表示ＯＦＦを受信した場合はステップＳ２に進み無表示状態となる。
【００８４】
一方、表示ＯＮを受信した場合はステップＳ３に進み、種別（種別コード）、行先（行先コード）と動作設定ファイルとを確認し、該当する種別コードと行先コードの動作コードが“０”の場合はステップＳ２に進み無表示状態となる。動作コードが“１”の場合はステップＳ３に進む。そして、動作コードが“２”以上の場合はステップＳ５に進み、予め指定されているデフォルト画面を表示する。このステップＳ３では、動作設定ファイルに記載された設定のうち、運行情報として運行情報表示装置１１２を介して取得した種別コード及び行先コードに該当する設定に応じて判断される。即ち、動作設定ファイル（動作設定情報）に基づいて、スケジュールファイル（スケジュール情報）及びシナリオファイル（シナリオ情報）による動作を行うか否かを決定している。
【００８５】
次に、ステップＳ４においては、日付とトリガバージョンを確認し、該当するバージョンがない場合はステップＳ５に進み、予め指定されているデフォルト画面を表示する。トリガバージョンとは、図３のＣＭフォルダ内に形成されたフォルダ名を指している。例えば、２０１３０３０１の場合は、２０１３年３月１日以降に表示する動画情報等が格納されているフォルダとなる。また、図３のように２０１３０３０１と２０１３０４０１の２つのフォルダ（バージョン）がある場合は、２０１３年３月１日〜２０１３年３月３１日までが２０１３０３０１フォルダ内の動画情報等を表示し、２０１３年４月１日以降は２０１３０４０１フォルダ内の動画情報等を表示する。
【００８６】
ステップＳ４における判断では、画像表示制御部１４が内蔵する時計機能から日付を取得し、その取得した現在の日付がＳＤカード１５内のトリガバージョンに示す日付の範囲であるかを判断している。
【００８７】
次に、該当するバージョンがある場合はステップＳ６に進み、時刻とスケジュールファイルのタイムテーブルを確認し、時刻に対応するシナリオファイルが無い場合はステップＳ５に進み、予め指定されているデフォルト画面を表示する。
【００８８】
ステップＳ６における時刻とスケジュールファイルのタイムテーブルの確認とは、現在の時刻が、スケジュールファイルに設定されている開始時分〜終了時分に含まれているかを確認し、含まれている場合は、その開始時分と終了時分とが設定されているシナリオファイルを選択する。なお、現在の時刻は、ステップＳ４で日時を確認する際に取得した日時に付随している時刻情報を取得すればよい。即ち、スケジュールファイル（スケジュール情報）と現在の時刻とに基づいてシナリオファイル（シナリオ情報）を選択している。
【００８９】
次に、時刻に対応するシナリオファイルがある場合はステップＳ７に進む。ステップＳ７においては、対応したシナリオファイルを確認し、対応したシナリオファイルが無い場合はステップＳ５に進み、予め指定されているデフォルト画面を表示する。このステップＳ７は、ステップＳ６で確認したスケジュールファイルに記載されているシナリオファイルをＳＤカード１５内から読み込むための動作を行っている。つまり、対応したシナリオファイルが無いとは、スケジュールファイルには記載があるものの、ＳＤカード１５内に記憶されていない場合であり、例えばスケジュールファイルの記載ミス、シナリオファイル名のミス、あるいはＳＤカード１５にファイルを記憶させる作業上のミスなどが疑われる。
【００９０】
次に、対応したシナリオファイルがある場合はステップＳ８に進みシナリオファイルで呼び出された広告動画情報を確認し、広告動画情報（動画ファイル）が無い場合はステップＳ９に進み、ステップＳ５と同様に予め指定されているデフォルト画面を表示してステップＳ１１に進む。このステップＳ８は、ステップＳ７で確認したシナリオファイルに記載されている設定に合致する動画ファイルをＳＤカード１５内から読み込むための動作を行っている。つまり、動画ファイルが無いとは、シナリオファイルには記載があるものの、ＳＤカード１５内に記憶されていない場合であり、例えばシナリオファイルの記載ミス、動画ファイル名のミス、あるいはＳＤカード１５にファイルを記憶させる作業上のミスなどが疑われる。
【００９１】
このステップＳ８においては、運行情報として表示設定器１１０から出力された地点コード（現在位置する地点）と自身の設置位置情報（自身の設置位置）とに基づいて、シナリオファイルの記載から該当する動画ファイルの設定を特定することで、ＳＤカード１５から動画ファイルを読み出している。即ち、シナリオファイル（シナリオ情報）と運行情報とに基づいて動画ファイル（画像情報）を選択している。
【００９２】
次に、動画ファイルがある場合はステップＳ１０に進みステップＳ８で読み出した動画ファイルをＬＣＤ画面１３に表示させる。即ち、ＳＤカード１５から該当する動画ファイルを読み出して、デコードし、ＤＶＩを介してＬＣＤ信号変換部１２に出力する。ＬＣＤ信号変換部１２は、ＬＶＤＳに規定された画像信号に変換してＬＣＤ画面１３に出力することで動画ファイル（広告動画情報）が表示される。
【００９３】
次に、ステップＳ１１において、シナリオファイルの終了を確認し、続きがある場合は、ステップＳ８に戻り、終了の場合はステップＳ５に戻る。例えば図４の場合、ＡＡＡＡＡ．ｈ２６４を表示した後はステップＳ８に戻り次のＢＢＢＢＢ．ｈ２６４の表示を行い、ＤＤＤＤＤ．２６４を表示した後はステップＳ５に戻りスケジュールファイルの確認から再度実行する。
【００９４】
なお、図７に示したフローチャートのうち、Ａで囲んだ部分を実行中に、ＲＳ−４８５インタフェース経由で表示のＯＮまたは表示のＯＦＦを受信した場合はフローチャートを終了する。表示ＯＮの場合は表示中の動画ファイルの表示終了後に終了し、表示ＯＦＦの場合は動画ファイルの終了を待たずに強制終了する。
【００９５】
本実施形態によれば、画像表示装置１は、画像表示制御部１４が鉄道車両１０１の運行情報を取得し、そして、取得した運行情報に基づいてＬＣＤ画面１３に表示させる広告動画情報をＳＤカード１５から読み出す。このようにして、運行情報に応じた広告動画情報がＳＤカード１５から読み出され、ＬＣＤ画面１３に表示される。このようにすることにより、広告動画情報等の画像情報をネットワーク経由で取得する必要が無く、外部からは運行情報が取得できれば、運行情報に基づいて広告動画情報等の画像情報をＬＣＤ画面１３に表示させることができる。したがって、高速回線を持たない鉄道車両においても運行情報から得られる状況に合わせて広告等を表示する画像表示装置の設置が可能となる。
【００９６】
また、ＳＤカード１５などの可搬型記憶媒体に広告動画情報を記憶させているので、ＳＤカード１５を交換するだけで表示させる広告動画情報を変更することができ、アップデート等も容易にすることができる。
【００９７】
また、運行情報として地点コードと自身の設置位置情報とを取得し、画像表示制御部１４が、取得した地点コード及び自身の設置位置情報と、シナリオファイルに記載された表示地点及び表示位置に基づいて広告動画情報をＳＤカード１５から読み出して、ＬＣＤ画面１３に表示する。このようにすることにより、鉄道車両１０１が現在位置する地点や画像表示装置の設置位置に応じて表示させる広告動画情報を変更することができ、地点や位置に適した広告を表示させることができる。したがって、効果的な広告をすることができる。
【００９８】
また、シナリオファイルに、複数の広告動画情報の表示する順序が設定され、画像表示制御部１４が、シナリオファイルを読み出して、その設定された順序で広告動画情報をＬＣＤ画面１３に表示させている。このようにすることにより、予め複数の広告動画情報を表示させる順序を設定することができる。また、シナリオファイルがＳＤカード１５に広告動画情報とともに記憶されているため、ＳＤカード１５の内容を変更するのみで表示順を変更することができる。また、表示させる広告動画情報と同じＳＤカード１５に記憶することでシナリオファイルの管理が容易となる。
【００９９】
また、シナリオファイルに、広告動画情報を繰り返し表示させる回数が設定されているので、１つの広告動画情報を複数回連続して表示させることができる。
【０１００】
また、スケジュールファイルに、シナリオファイルの実行開始時分と実行終了時分とが設定され、画像表示制御部１４が、スケジュールファイルを読み出して、その設定された実行開始時間から実行終了時間に含まれるシナリオファイルを実行している。このようにすることにより、予めシナリオファイルを実行する時間を設定することができる。また、スケジュールファイルがＳＤカード１５に広告動画情報やシナリオファイルとともに記憶されているため、ＳＤカード１５の内容を変更するのみでシナリオファイルを実行する時間を変更することができる。また、表示させる広告動画情報やシナリオファイルと同じＳＤカード１５に記憶することでスケジュールファイルの管理が容易となる。
【０１０１】
また、スケジュールファイルとシナリオファイルとが、それぞれ個別のファイルとしてＳＤカード１５に記憶されているので、変更される情報の含まれるファイルのみを修正することができる。そのため、修正範囲が限定されるので修正が容易となり、間違い等が入りにくくなる。
【０１０２】
また、動作設定ファイルに、鉄道車両１０１の種別ごとに通常表示をするか無表示とするかデフォルト画像を表示するかを示す情報が設定され、画像表示制御部１４が、動作設定ファイルを読み出して、運行情報として取得した種別および行先に該当する設定に基づいた動作を行っている。このようにすることにより、例えば急行や普通といった種別に応じて予めシナリオファイルやスケジュールファイルを実行するか、他の動作をするかを設定することができる。また、動作設定ファイルがＳＤカード１５に広告動画情報、シナリオファイル及びスケジュールファイルとともに記憶されているため、ＳＤカード１５の内容を変更するのみで当該ＳＤカード１５内のシナリオファイルやスケジュールファイルの実行を変更することができる。また、表示させる広告動画情報、シナリオファイル及びスケジュールファイルと同じＳＤカード１５に記憶することで動作設定ファイルの管理が容易となる。
【０１０３】
また、動作設定ファイルが個別のファイルとなっているので、変更される情報の含まれるファイルのみを修正することができる。そのため、修正範囲が限定されるので修正が容易となり、間違い等が入りにくくなる。
【０１０４】
なお、上述した実施形態では、広告（ＣＭフォルダ）の表示について説明したが、ニュース（ニュースフォルダ）も同様にシナリオファイルやスケジュールファイルを設定することで同様の動作をさせることができる。
【０１０５】
また、上述した実施形態では、シナリオファイルとスケジュールファイルが別ファイルであったが、１つのファイルとしてもよい。或いは、動作設定ファイルも合わせて１つのファイルとしてもよい。
【０１０６】
また、シナリオファイルには行先の項目を追加してもよい。つまり、行先に応じて画像情報を表示するか否かを設定することができる。或いは、シナリオファイルに種別の項目を追加してもよい。この場合は、急行や普通といった種別に応じて画像情報を表示するか否かを設定することができる。
【０１０７】
また、現在の日時や時刻を画像表示制御部１４が内蔵する時計機能から取得していたが、表示設定器１１０が共通の時間情報としてネットワーク１１３に出力するようにし、画像表示装置１は、運行情報表示装置１１２を介して取得するようにしてもよい。
【０１０８】
また、上述した実施形態では、画像表示装置１が客室内に設置され、客室内に乗客向けに画像情報を表示していたが、それに限らず、鉄道車両に設置されている表示装置であれば適用可能である。例えば車両側面に設置され車外に向けて行先等を表示している表示装置等に本発明を適用してもよい。つまり、このような表示装置においても、地点や行先、時間帯等に応じて表示させる画像情報を変更することができる。
【０１０９】
また、本発明は上記実施形態に限定されるものではない。即ち、当業者は、従来公知の知見に従い、本発明の骨子を逸脱しない範囲で種々変形して実施することができる。かかる変形によってもなお本発明の画像表示装置の構成を具備する限り、勿論、本発明の範疇に含まれるものである。
【符号の説明】
【０１１０】
１          画像表示装置
１３        ＬＣＤ画面（画像表示部）
１４        画像表示制御部（読出部、取得部、表示制御部）
１５        ＳＤカード（可搬型記憶媒体）
１０１      鉄道車両
【図１】
2015207849.tif 000003
【図２】
2015207849.tif 000004
【図３】
2015207849.tif 000005
【図４】
2015207849.tif 000006
【図５】
2015207849.tif 000007
【図６】
2015207849.tif 000008
【図７】
2015207849.tif 000009